(57)【要約】【課題】飼い主の負担を軽減するペットつなぎを提供する。【解決手段】ペットつなぎは吸盤装置と中空殻体と制動部材と結合部とを含み、吸盤装置は吸盤と牽引部材とを含み、牽引部材は吸盤の上部中心領域に結合し、吸盤を連動し上向き又は下向きの変位を発生させ、接触表面に吸着又は離脱させる。中空殻体は吸盤装置の上に設置され且つその中央位置に通孔を有し、吸盤装置の牽引部材は通孔に貫通し、中空殻体の上方位置に延伸する。制動部材は中空殻体の上方および吸盤装置の牽引部材とピン接合し、牽引部材を連動し上向き又は下向きの変位を発生させ、牽引部材の上昇後の位置に固定又は開放する。結合部は本体上に設置され、制動部材が牽引部材を連動し上昇させ、牽引部材を上昇後の位置に固定し、吸盤の中心領域を接触表面から離し、接触表面に吸着定位させる時、ペット鎖を結合部に結合し、ペットを繋ぎ留める。【選択図】図１
0003154007.tif 000002
【実用新案登録請求の範囲】
【請求項１】
吸盤と、牽引部材と、を含み、該牽引部材は、該吸盤の上部中心領域に結合し、該吸盤を連動し、上向き又は下向きの変位を発生し、接触表面と吸着又は離脱する吸盤装置と、
上記吸盤装置の上に設置される中空殻体であって、該中空殻体の中央位置に通孔を有し、該吸盤装置の牽引部材を該通孔に貫通させ、中空殻体の上方箇所に延伸させる中空殻体と、
中空殻体の上方で該吸盤装置の牽引部材と相互にピン接合し、該牽引部材を連動し、上向き又は下向きの変位を発生させ、該牽引部材を上昇後の位置に固定又は開放する制動部材と、
該殻体上に設置され、ペット鎖と結合後にペットを繋ぎ留める結合部と、
を含むペットつなぎ。
【請求項２】
前記吸盤装置は、吸引部材をさらに含み、該吸引部材の一側は、該吸盤の上部に結合し、他側は、該牽引部材と結合する請求項１記載のペットつなぎ。
【請求項３】
前記結合部は、回転軸及び回転環を含み、該回転軸は、該中空殻体上に固定され、該回転環は、該回転軸の上端に設置される請求項１記載のペットつなぎ。
【請求項４】
前記回転軸の上端は、転動可能な固定ソケットをピン接合する請求項３記載のペットつなぎ。
【請求項５】
前記回転軸及び回転環は、金属材質から形成される請求項３記載のペットつなぎ。
【請求項６】
前記結合部は、回転軸及びフックを含み、該回転軸は、該中空殻体上に固定され、該フックは、該回転軸の上端に設置される請求項１記載のペットつなぎ。
【請求項７】
更に、リールと、ペット縄を含み、該リールは、該中空殻体内に設置され、該ペット縄は、該リール内に巻き付けられ、且つその一端が該結合部に結合する請求項１記載のペットつなぎ。
【考案の詳細な説明】
【技術分野】
【０００１】
本考案は、ペットつなぎに関し、特に、家の中または外出での使用時、固定したい箇所に容易に吸着固定できるペットつなぎに関する。
【背景技術】
【０００２】
現代の生活において、人々は、緊張した生活、過大なストレスにより、ペットを飼い、苦悶の精神生活を調節することを好み、ペットの飼育は、既に多くの家庭の娯楽の一つになっている。そのうち、最も人気があるのがイヌ科の動物の飼育である。イヌ科の動物の習性は、動くのが好きなタイプに属するので、飼い主は、しばしばペットの犬を連れて外出し、ペットの犬に比較的大きな活動空間を持つことができるようにし、散歩も犬の飼い主の日課となっている。
【０００３】
ペットの犬を連れて散歩する時、ペットの犬は、刺激を受けて特に興奮し、あちこちへ駆け回り、さらには、道の人々を驚かせるので、ペットの犬に鎖をして、適当な防護措置を取らなければならない。飼い主が外出し、ある程度の時間散歩をさせた後、疲労を感じ、休息を得るために犬の鎖をつなぐ必要がある。しかしながら、犬の鎖をつなぐ適当な固定物を見つけることができない時、飼い主は、依然として休息を得ることができない。さらに、既に多くのレストランで飼い主がペットを連れて来店し食事をすることを受け入れているが、該レストラン内には、通常ペットをつなぐことができる固定物を設置しておらず、飼い主が食事する時、常にペットの状態を確認しなければならず、食事の気分と雰囲気に影響を及ぼす。
【０００４】
また、ペットの犬が家の中で、走ってぶつかり、物品を損壊させる。一般の家庭環境の中では、犬の鎖をつなぐ適当な固定物が少なく、飼い主が家の中でペットの犬の活動を制限させることが困難であり、飼い主の重荷となっている。
【０００５】
これに鑑みて、飼い主は、犬の散歩をする時に随時ペットの犬を道につなげるようにするため、家の中でもペットの犬を適当な領域内につなぎ、家の中の物品がペットにあたって破壊されることがないようにするため、考案者は、長年の経験を積み、絶え間ない研究開発を行い、本考案の発案に至ったものである。  
従来のペットつなぎは、ペット用繋留具を台座を介して地面に固定したり、繋留具の繋留柱の先端を地面に打ち込んで固定したりするものがある(例えば、特許文献１参照)。  
しかしながら、特許文献１のペット用繋留具は、繋留具を地面にペグ(釘)等を用いて固定したり、繋留柱を地面に打ち込むなどの作業を必要とし、手間や時間が掛かる一方、室内には設置することが困難であった。
【先行技術文献】
【特許文献】
【０００６】
【特許文献１】実用新案登録第３０７０５１８号公報
【考案の概要】
【考案が解決しようとする課題】
【０００７】
本考案の目的は、吸盤装置を所定位置に吸着固定することにより、ペットの鎖をペットつなぎの結合部に結合した後、ペットを繋ぎ止め、ペットの活動領域を制限し、飼い主の負担を軽減するペットつなぎを提供することにある。
【課題を解決するための手段】
【０００８】
上記の目的を達成するため、本考案が提供するペットつなぎは、吸盤装置と、中空殻体と、制動部材と、結合部とを含み、該吸盤装置は、吸盤と、牽引部材と、を含み、該牽引部材は、吸盤の上部中心領域に結合し、該吸盤を連動し、上向き又は下向きの変位を発生させ、接触表面に吸着又は離脱させる。該中空殻体は、上記吸盤装置の上に設置され、且つその中央位置に通孔を有し、該吸盤装置の牽引部材は、該通孔に貫通し、中空殻体の上方位置に延伸する。該制動部材は、中空殻体の上方および該吸盤装置の牽引部材とピン接合し、該牽引部材を連動し、上向き又は下向きの変位を発生させ、牽引部材の上昇後の位置に固定又は開放する。該結合部は、本体上に設置され、制動部材が牽引部材を連動し、上昇させ、牽引部材を上昇後の位置に固定し、吸盤の中心領域を接触表面から離し、該接触表面に吸着定位させる時、ペットの鎖を該結合部に結合し、ペットをつなぎ留める。
【考案の効果】
【０００９】
本考案は、以下の利点を有する：
１．本考案における吸盤装置は、飼い主が犬の散歩をする時、適合する位置を探して該ペットつなぎに固定し易くし、飼い主が疲れた時、即時適当な休息を得ることができ、より軽快な犬の散歩をできるようにする。  
２．本考案は、住宅環境において応用でき、飼い主がペットを安心して適合する箇所につなぎ、ペットの活動範囲を制限でき、家中の物品に対して、ペットがあちこち衝突して破壊したり、噛み壊したりする心配がなく、ペットつなぎとしての実用性を向上させる。  
３．本考案は、飼い主が外食する時、ペットをレストラン内の適当な位置に繋ぎ、飼い主に安心して食事できるようにする。  
４．本考案は、更に従来のペット鎖の機能に結合でき、飼い主が外出時、該ペットつなぎにペット鎖の効果を持たせ、ペットつなぎの付加価値を増加することができる。
【図面の簡単な説明】
【００１０】
【図１】本考案の好適実施例の分解説明図である。
【図２】本考案の好適実施例の立体外観図である。
【図３】本考案の好適実施例の他の角度から見た立体外観図である。
【図４】本考案の実施例の断面説明図である。
【図５】本考案の実施例の使用時の動作説明図である。
【図６】本考案の実施例の使用時の立体外観図である。
【図７】本考案のもう１つの実施例の立体外観図である。
【図８】本考案のもう１つの実施例の断面説明図である。
【考案を実施するための形態】
【００１１】
本考案をより分かり易くする為、以下に好適な実施例を挙げ、図面、符号に併せて、本考案の具体的構成内容およびそれが達成する効果を詳細に説明する。
【００１２】
図１〜図３は、本考案のペットつなぎ１の好適実施例であり、吸盤装置１１と、中空殻体１２と、制動部材１３と、結合部１４と、を含む。  
図４〜図６は、本考案の使用時の動作を説明している。
【００１３】
該吸盤装置１１は、吸盤１１１と、吸引部材１１２と、牽引部材１１３を含み、該吸盤１１１は、軟性ゴム吸盤であり、該吸引部材１１２は、該吸盤１１１の上部中心領域に結合し、該牽引部材１１３は、該吸引部材１１２の上部中心位置に結合し、該吸引部材１１２および吸盤１１１を連動し、上向き又は下向きの変位を発生させることに用い、吸盤１１１の中心領域を接触表面と離脱又は接触させる時、該吸盤１１１に該接触表面と付着又は離脱させる。さらに、該吸引部材１１２は、硬質へ変更が容易でない材質から形成され、牽引部材１１３が下向きに変位する時、牽引部材１１３の圧迫を受け、吸盤１１１の中間領域を施圧することに用いる（図４参照）。
【００１４】
該中空殻体１２は、上記吸盤装置１１の上方に設置され、且つ該中空殻体１２の底部周縁は、該吸盤１１１の周辺と緊密に結合する。該中空殻体１２の中央位置は、通孔１２１を有し、該吸盤装置１１の牽引部材１１３を該通孔１２１に通過させ、中空殻体１２に延伸させる。
【００１５】
該制動部材１３は、中空殻体１２の上方で該吸盤装置１１の牽引部材１１３と相互にピン接合し、該牽引部材１１３を連動し、上向き又は下向きの変位を発生させ、牽引部材１１３を上昇後の位置に固定又は開放し、該吸盤１１１を連動し、該接触表面に吸着又は離脱させる。また、該制動部材１３は、該吸盤１１１と垂直状態である時、該制動部材１３を押下し、該牽引部材１１３に上向きの変位を発生させ該接触表面と離脱させ（図４の符号Ｂに示すように）、該制動部材１３が該吸盤１１１と平行状態を呈する位置に転動する時、該牽引部材１１３の位置を固定し、該吸盤１１１を該接触表面に吸着する(図５の符号Ａに示すように)。図４及び図５で実線矢印はペット飼い主が該制動部材１３を操作する方向を示している。
【００１６】
該結合部１４は、回転軸１４１及び回転環１４２を含み、該回転軸１４１の底端は、該中空殻体１２上に固定され、該回転軸１４１の上端は、転動可能な固定ソケット１４３を設け、且つ該固定ソケット１４３上に貫通孔を設け、該回転環１４２が該貫通孔と結合する時、自由に転動でき、該回転軸１４１と相互に結合する。また、該回転軸１４１及び回転環１４２は、硬質で変形が容易でなく金属材質か形成される。
【００１７】
使用時、先ず、該ペットつなぎを固定したい箇所の接触表面上に置き、該吸盤１１１と接触表面の間に可変空間を形成し、図５に示すように元々垂直状態を呈していた制動部材１３を９０度押下し、該牽引部材１１３を連動して上昇させ、該牽引部材１１３を上昇後の位置に固定し、吸盤１１１の中心領域を該接触表面から離し、該接触表面に吸着固定させる。続いて、図６に示すように、ペット鎖２の一端の手持ち部２１に設けたフック２２を結合部１４の回転環１４２に繋ぎ、ペット鎖２を該固定したい箇所の付近領域にする。使用時、該回転軸１４１上端の固定ソケット１４３は、転動可能な設計を採用し、ペットが該ペットつなぎ周囲に沿って駆け動く時、ペット鎖２を繋いだ回転環１４２の一端を同時に転動させ、ペット鎖２が回転軸１４１上に巻き付くことを回避する。
【００１８】
図７は本考案のもう１つの実施例を示している。  
使用時、図７に示すように、該結合部１４の形式は、回転軸１４１及びフック１４４であることもでき、そのうち、該回転軸１４１は、該中空殻体１２上に固定され、該フック１４４は、該回転軸１４１の上端に設置され、従来のペット鎖２の手持ち部２１にフックさせることができる。
【００１９】
図８は本考案のもう１つの実施例を示している。  
使用時、図８に示すように、該中空殻体１２内にリール３及びペット縄３１を更に設け、該ペット縄３１は、軟性のプラスチック合成材質から形成され、未使用状態の時、該ペット縄３１は、リール３内に巻き付いていて、その一端は、該リール３上に固定され、他端は、該回転軸１４１を貫通し、回転軸１４１上端のフック１４４底端と結合する。これにより、該ペット縄３１を引き出した後、該フック１４４をペットの首輪上にフックし、従来のペット鎖の効果を達成することができる。
【００２０】
上記のように、本考案は、室内使用又は外出散歩時、何れも随時適当な位置に固定でき、飼い主のペットの面倒を見る心配を軽減するペットつなぎであり、産業上の利用価値を有する。
【符号の説明】
【００２１】
１  ペットつなぎ
１１  吸盤装置
１１１  吸盤
１１２  吸引部材
１１３  牽引部材
１２  中空殻体
１２１  通孔
１３  制動部材
１４  結合部
１４１  回転軸
１４２  回転環
１４３  固定ソケット
１４４  フック
２  ペット鎖
２１  手持ち部
２２  フック
３  リール
３１  ペット縄
【図１】
0003154007.tif 000003
【図２】
0003154007.tif 000004
【図３】
0003154007.tif 000005
【図４】
0003154007.tif 000006
【図５】
0003154007.tif 000007
【図６】
0003154007.tif 000008
【図７】
0003154007.tif 000009
【図８】
0003154007.tif 000010